(57)【要約】【課題】盤筐体の開口部に配した片開き扉の収まり位置を変更するだけで主回路導体の通電中でも通過磁束による磁気吸引力の影響を殆ど受けずに扉の開放操作が楽に行えるようにした閉鎖型配電盤を提供する。【解決手段】盤内に主回路導体４を布設した鋼板製になる盤筐体１の開口部に片開き扉２を装備した閉鎖型配電盤において、前記扉２は、その扉閉位置で吊り元と反対側の扉端部２ｂが盤筐体１の開口部の内側に収まるように配置する。これにより、主回路導体４の通電磁界により盤筐体１，扉２を通過する磁束、およびこの磁束通過に伴って扉と盤筐体との間に発生する磁気吸引力の向きが扉を開く方向と略直交する方向となり、扉の開放操作時に抗力として作用する磁気吸引力の影響が低減して主回路の通電中でも扉を楽に開くことができる。【選択図】図１
2013126262.tif 000002
【特許請求の範囲】
【請求項１】
盤内に主回路導体を布設した鋼板製になる盤筐体の開口部に片開き扉を装備した閉鎖型配電盤において、
前記扉は、その扉閉位置で吊り元と反対側の扉端部が盤筐体開口部の内側に収まるように配置したことを特徴とする閉鎖型配電盤。
【発明の詳細な説明】
【技術分野】
【０００１】
本発明は、直流電源設備などに適用する閉鎖型配電盤に関し、詳しくは配電盤の筐体開口部に配した扉の配置構造に係わる。
【背景技術】
【０００２】
まず、頭記の直流電源設備に適用する閉鎖型配電盤を例に、従来における配電盤の構成を図３（ａ），（ｂ）に示す。図において、１は鋼板製のパネルで外周を包囲した箱形の盤筐体、２は盤筐体１の開口部（保守・点検口）に設けた片開き扉、２ａは扉２の把手、３は扉２の吊り元を盤筐体１のフレームに軸支するヒンジ軸、４は盤内に布設した主回路導体（ブスバー）である。なお、前記ヒンジ軸３の代わりに蝶番を用いることもある。
【０００３】
ここで、前記扉２は扉板の周囲四辺を内側に曲げ加工した鋼板（板厚：２〜３mm程度）の鈑金品になり、該扉２を閉じた収まり位置では、盤筐体１の開口部に配した形鋼のフレーム１ａを受座として図示のように吊り元と反対側（把手側）の端部２を前記フレーム１ａの前端面に突き当てて盤筐体１の開口部を閉塞するようにしている。
【０００４】
ところで、前記のように鋼板（磁性材）で組立てた盤筐体１の内方に主回路導体４を布設した閉鎖型配電盤で主回路導体４に電流を流した通電状態では、主回路導体４の回りに生じた磁界によって鋼板製の盤筐体１，扉２には図４に表すように磁束φが流れ、この磁束φの通過により盤筐体１と扉２との間に図示矢印で表すような磁気吸引力Ｆが働いて扉２の反吊り元側端部２ｂが閉位置に吸着されるようになる。
【０００５】
ここで、配電盤の左右方向の座標軸をＸ，前後方向の座標軸をＹとすると、扉２の吊り元と反対側の端部２ｂと盤筐体１との間に働く磁気吸引力ＦはＹ軸方向に向いていて、扉２を開く方向とは逆向きである。このために図１の閉位置から扉２の把手２ａに手を掛けて手前に開こうとすると、この磁気吸引力Ｆが抗力となって扉が開け難くなる。なお、扉２の吊り元側でも磁束φの通過に伴い盤筐体１との間に磁気吸引力が生じるが、扉２の吊り元側の端部はヒンジ軸３の回りに回動するので、扉２の開放時にその吊り元側に働く磁気吸引力の影響は極めて小さい。
【０００６】
また、主回路電流が交流（例えば、三相交流）であれば盤内に布設した各相の主回路導体を互いに近接して配線することで、各相導体の相互間で磁界が相殺されるので盤筐体１，扉２を通過する磁束φも少なくなるが、直流の場合には主回路導体４の往路と復路を別々に離して盤内に布設する場合が多く、このために通電に伴って盤筐体１，扉２を通過する磁束量も多くなる。
【０００７】
このために、直流電源設備に適用する大電流容量の閉鎖型配電盤において、その主回路の定格電流が数千Ａにもなると、扉２を閉じた状態では反吊り元側の扉端部２ｂと盤筐体１の開口部前端との間には大きな磁気吸引力Ｆ（図４参照）が働き、保守員一人の力では扉２を開放することが極めて困難となることが経験されている。
【０００８】
なお、閉鎖型配電盤は不測な感電事故を避けるために、通常は主回路の通電中に扉２を閉位置に鎖錠して開放できないようにしているが、配電盤の形式によっては扉２の内側に計測，制御機器類を搭載した中扉を備えたものがあり、主回路の通電中でも計測，制御操作，点検を行うために扉２を開放することがある。
【０００９】
そこで、主回路の通電中でも保守員が配電盤の扉２を楽に開放できるようにするための対応策として、特許文献１に開示されているように、盤筐体１と扉２との間に非磁性材の間隔材を介装して両者の間に働く磁気吸引力を低減するようにしたものが知られている。
【先行技術文献】
【特許文献】
【００１０】
【特許文献１】特開平１１−８９１４号公報
【発明の概要】
【発明が解決しようとする課題】
【００１１】
前記の特許文献１に開示されている盤構造を採用することにより、主回路の通電中に行う扉の開放操作が楽に行えることが期待できるが、配電盤にこの構造を採用すると盤筐体１の前部の組立構造が複雑化して製作コストが増加するほか、非磁性間隔材にゴムなどを採用すると配電盤の強度確保も困難となるなどの課題が残る。
【００１２】
そこで、本発明の目的は、盤筐体の開口部と扉との間に非磁性間隔材などを追加装備することなしに、扉の収まり位置を変更するだけの簡易な改造で主回路導体の通電中でも通過磁束による磁気吸引力の影響を受けずに扉の開放操作が楽に行えるようにした閉鎖型配電盤を提供することにある。
【課題を解決するための手段】
【００１３】
上記目的を達成するために、本発明によれば、盤内に主回路導体を布設した鋼板製になる盤筐体の開口部に片開き扉を装備した閉鎖型配電盤において、
前記扉は、その扉閉位置で吊り元と反対側の扉端部が盤筐体開口部の内側に収まるように配置するものとする。
【発明の効果】
【００１４】
上記構成によれば、盤内に布設した主回路導体の通電によって鋼板製（磁性材）の盤筐体の開口部と片開き扉の反吊り元側端部との間を通過する磁束、およびこの磁束通過に伴って扉と盤筐体との間に発生する磁気吸引力の方向は、扉を手前に引き開く方向と略直交する向きになる。これにより、扉の開放操作時に抗力として作用する磁気吸引力の影響が低減して主回路の通電中でも扉を楽に開くことができる。
【００１５】
しかも、構造面でも先記した特許文献１のように盤筐体の開口部に非磁性間隔材を追加する必要がなく、扉の吊り元と反対側の扉端部が閉位置で盤筐体開口部の内側に収まるように簡易な改造を加えるだけで対応することができる。
【図面の簡単な説明】
【００１６】
【図１】本発明の実施例による閉鎖型配電盤の略示構成図であって、（ａ）は盤全体の外観斜視図、（ｂ）は（ａ）における配電盤前部の横断平面図である。
【図２】図１の構成で盤筐体と扉との間に働く磁気吸引力の説明図である。
【図３】従来における閉鎖型配電盤の略示構成図であって、（ａ）は盤全体の外観斜視図、（ｂ）は（ａ）における配電盤前部の横断平面図である。
【図４】図３の構成で盤筐体と扉との間に働く磁気吸引力の説明図である。
【発明を実施するための形態】
【００１７】
以下、本発明の実施の形態を図１，図２に示す実施例に基づいて説明する。
なお、図示実施例の図中で図３，図４に対応する部材には同じ符号を付してその説明は省略する。
【００１８】
図示実施例の閉鎖型配電盤は、図３に示した従来の配電盤と基本的には同じ構造であるが、盤筐体１の開口部に配した片開き扉２については、その扉閉位置の収まり位置を次記のよう変更して配置，構成されている。
【００１９】
すなわち、図１（ｂ）で示すように扉２の閉位置では、扉２の周縁が盤筐体１の開口部に配したフレーム１ａの内側（内周側）に収まるように配置されている。なお、図示してないが、前記フレーム１ａにはその内周に沿って例えば非磁性金属，ないし樹脂製の受け座（ストッパー）を設けておき、扉２を閉じる際にはこの受け座で扉板を閉位置に受け止めるようにしている。
【００２０】
上記構成により、扉２が閉じた状態では盤筐体１，扉２を通過する磁束φが図２で示すように扉２の反吊り元側の端部２ｂを横切って盤筐体１のフレーム１ａとの間をＹ軸方向に沿って流れ、これにより扉２に働く磁気吸引力Ｆも図示のようにＹ軸方向、つまり吊り元側のヒンジ軸３を支点として手前に開く片開き扉２の開閉方向とは略直交する向きとなる。
【００２１】
したがって、この磁気吸引力Ｆが従来構造（図４参照）のように扉２の開放を妨げることがなく、主回路導体４の通電中でも保守員一人の力でも扉２を楽に開くことができる。しかも、先記した特許文献１のように盤筐体１の開口部に非磁性間隔材を設ける必要がなく、扉２の閉位置で反吊り元側の扉端部２ｂが盤筐体１の開口部に配したフレーム１ａの内側に収まるように僅かな変更を加えるだけで簡単に対応できる。
【符号の説明】
【００２２】
１    盤筐体
１ａ  フレーム
２    片開き扉
２ａ  扉の把手
２ｂ  扉の反吊り元側端部
３    吊り元側のヒンジ軸
４    主回路導体
φ    磁束
Ｆ    磁気吸引力
【図１】
2013126262.tif 000003
【図２】
2013126262.tif 000004
【図３】
2013126262.tif 000005
【図４】
2013126262.tif 000006